(57)【要約】      （修正有）【課題】自動巻き取り装置の回転を利用し、スプリング式ロールスクリーンの巻き取り及び展開を同時に制御し、ユーザーが簡単に巻き取り又は展開できるロールスクリーンを提供する。【解決手段】スプリング式ロールスクリーンであって、少なくとも、セットフレーム３０と、ウエイトバー４０と、ロールスクリーンユニット５０と、固定端３２，３３と、自動巻き取り装置７０と、を具備し、セットフレームの一端は、固定端に連接し、もう一端は、自動巻き取り装置に連接し、前記固定端とロールスクリーンユニットの軸５１は、嵌合して、回転し、前記自動巻き取り装置は、第二カバーユニット７１内部に、一端に凸軸６２１のある外カバー７２を枢接し、前記外カバー内部に、スプリング部材７３を捲設し、外カバーの一端の凸軸とロールスクリーンユニットの軸筒が嵌合する。こうして、自動巻き取り装置の回転によって、スプリング式ロールスクリーンの巻き取り及び引き出しを制御することができる。【選択図】図２
0003149752.tif 000002
【実用新案登録請求の範囲】
【請求項１】
スプリング式ロールスクリーン（２０）において、
長辺のセットフレーム（３０）と、
セットフレーム（３０）と離れて設けられる、下方のウエイトバー（４０）と、
セットフレーム（３０）とウエイトバー（４０）の間に設けられ、一端に軸（５１）を備えるロールスクリーンユニット（５０）と、
セットフレーム（３０）の一端に設けられ、ロールスクリーンユニット（５０）と軸（５１）に連結する固定端（６０）と、
セットフレーム（３０）のもう一端に設けられ、ロールスクリーンユニット（５０）と連結し、内部に、前記ロールスクリーンユニット（５０）を動かすスプリング部材（７３）を備える自動巻取り装置（７０）を有することを特徴とするスプリング式ロールスクリーン。
【請求項２】
前記固定端（６０）は、第一カバーユニット（６１）と、その内部に、回転ユニット（６２）を具備することを特徴とする請求項１に記載のスプリング式ロールスクリーン。
【請求項３】
前記第一カバーユニット（６１）は、第一カバー（６１１）をさらに有し、前記第一カバー（６１１）の一端側面に容置空間（６１１１）を備え、もう一端側が延びて嵌合部（６１１５）を形成し、前記回転ユニット（６２）は、容置空間（６１１１）に設置され、その一端側に凸軸（６２１）を有することを特徴とする請求項２に記載のスプリング式ロールスクリーン。
【請求項４】
外蓋（６１２）は、前記第一カバー（６１１）の一端に蓋合され、その一端が伸びて、凸軸（６１２２）を形成することを特徴とする請求項３に記載のスプリング式ロールスクリーン。
【請求項５】
前記固定端（６０ｂ）は、サイドプレート（６１ｂ）を有し、その一端側が伸びて、セットフレーム（３０）に嵌入する第一嵌合部（６１１ｂ）と、凸軸（６１２ｂ）を形成することを特徴とする請求項１に記載のスプリング式ロールスクリーン。
【請求項６】
前記自動巻き取り装置（７０）のスプリング部材（７３）は、凸軸（７２１）を備える外カバー（７２）に捲設されることを特徴とする請求項１に記載のスプリング式ロールスクリーン。
【請求項７】
前記自動巻き取り装置（７０）は、第二カバー（７１１）を備え、前記第二カバー（７１１）は、一端側に容置空間（７１１１）を有し、もう一端側が伸びて、第二嵌合部（７１１５）を形成し、当該外カバー（７２）は、当該容置空間（７１１１）を有することを特徴とする請求項６に記載のスプリング式ロールスクリーン。
【請求項８】
前記外蓋（７１２）は、前記第二カバー（７１１）の一端側に蓋をし、その一端が伸びて、前記スプリング部材（７３）が嵌入する、係止溝（７１２３）のある凸軸（７１２２）を形成することを特徴とする請求項７に記載のスプリング式ロールスクリーン。
【請求項９】
前記スプリング式ロールスクリーンは、中空長形レールのセットフレーム（２０ａ）と、
セットフレーム（２０ａ）の下方に離れて設けられる棒状のウエイトバー（３０ａ）と、
少なくとも、それぞれセットフレーム（２０ａ）両端に設置される第一、第二プレート（４１ａ）、（４２ａ）を含み、セットフレーム（２０ａ）に設けられるスライド装置（４０ａ）と、
セットフレーム（２０ａ）に固定され、ガイドローラー（４３１ａ）を備える定位部材（４３a)と、
セットフレーム（２０ａ）に設置され、その両端がそれぞれ、前記第一プレート（４１ａ）及び第二プレート（４２ａ）に設置される係止棒（４４ａ）と、
上端にそれぞれ凸部（４５１ａ）、（４６１ａ）を有し、前記凸部（４５１ａ）、（４６１ａ）は、それぞれ、セットフレーム（２０ａ）に穿入され、第一、第二プレート（４１ａ）、（４２ａ）に固定され、先端が下に向かってサイドプレート（４５４ａ）、（４６４ａ）を形成する、第一、第二固定板（４５ａ）、（４６ａ）と、
セットフレーム（２０ａ）及びウエイトバー（３０ａ）の間に設置され、第一、第二スクリーン（５１ａ）、（５２ａ）と、第一、第二引き紐（５３１ａ）、（５３２ａ）と、を含み、前記スライド装置（４０ａ）と連結される、スクリーン引き紐ユニット（５０ａ）と、
セットフレーム（２０ａ）の一端側に設けられ、前記スクリーン引き紐ユニット（５０ａ）と連結され、内部に前記スクリーン引き紐ユニット（５０ａ）を動かすスプリング部材（６１５ａ）を有する、自動巻き取り装置（６０ａ）と、を具備することを特徴とするスプリング式ロールスクリーン。
【請求項１０】
一端に複数の係止穴（４１２ａ）を有する前記第一プレート（４１ａ）と、一端に複数の係止穴（４２２ａ）を有する前記第二プレート（４２ａ）と、を有し、
前記係止穴（４１２ａ）、（４２２ａ）は、前記第一、第二係止板（４５ａ）、（４６ａ）をそれぞれ第一、第二プレート（４１ａ）、（４２ａ）底部に係止することができることを特徴とする請求項９に記載のスプリング式ロールスクリーン。  
【請求項１１】
前記第一スクリーン、第二スクリーン（５１ａ）、（５２ａ）が、縞スクリーンであることを特徴とする請求項９に記載のスプリング式ロールスクリーン。
【請求項１２】
前記スクリーン引き紐ユニット（５０ａ）の第一引き紐（５３１ａ）は、第一プレート（４１ａ）の第一穴（４１３ａ）に固定され、セットフレーム（２０ａ）から突出し、第二引き紐（５３２ａ）は、第一プレート（４１ａ）の第二穴（４１４ａ）に固定され、定位部材（４３ａ）のガイドローラー（４３１ａ）にかかって、セットフレーム（２０ａ）から穿出することを特徴とする請求項９に記載のスプリング式ロールスクリーン。
【請求項１３】
前記スクリーン引き紐ユニット（５０ａ）の第一スクリーン（５１ａ）の一端は、それぞれ、当該第一、第二係止板（４５ａ）、（４６ａ）のサイドプレート（４５４ａ）、（４６４ａ）に枢接され、前記第一引き紐（５３１ａ）、第二引き紐（５３２ａ）によって、前記スクリーンユニット（５０ａ）の第一スクリーン（５１ａ）を往復移動できることを特徴とする請求項９に記載のスプリング式ロールスクリーン。
【請求項１４】
前記自動巻き取り装置（６０ａ）は、少なくとも伝動ユニット（６１ａ）と、
前記伝動ユニット（６１ａ）と連接する伝動軸（６１１１ａ）と、を含むことを特徴とする請求項９に記載のスプリング式ロールスクリーン。
【請求項１５】
前記伝動ユニット（６１ａ）は、複数の咬合する第一、第二、第三ギア（６１１ａ）、（６１２ａ）、（６１３ａ）及び前記スプリング部材（６１５ａ）を有することを特徴とする請求項１４に記載のスプリング式ロールスクリーン。
【請求項１６】
前記伝動ユニット（６１ａ）の第一ギア（６１１ａ）は、前記伝動軸（６１１１ａ）に連接され、第三ギア（６１３ａ）は、伸びて軸（６１４ａ）を形成することを特徴とする請求項１５に記載のスプリング式ロールスクリーン。
【請求項１７】
前記伝動軸（６１１１ａ）は、第一スクリーン（５１ａ）に連接され、前記軸（６１４ａ）は、第二スクリーン（５２ａ）に連接されることを特徴とする請求項１６に記載のスプリング式ロールスクリーン。
【考案の詳細な説明】
【技術分野】
【０００１】
本考案は、スプリング式ロールスクリーンに関する。
【背景技術】
【０００２】
現在市場には、様々な様式のカーテン機構が見られる。例えば、ブラインドカーテン、プリーツスクリーン、ローマンシェード等である。主な設置場所は、家庭のドアや窓であり、ユーザーの使用条件により、遮光及びインテリアとして用いられる。一般カーテンは、概ね引き紐によって、上昇又は下降させ、巻き取り、及び展開制御をする。シングルロールスクリーン１０の多くは、スクリーン巻取り緩衝装置１１（図１）を採用している。前記スクリーン巻取り緩衝装置１１は、主に、外ケース、カバー筒、外カバー、蓋、回転部材で形成されており、時計回りでスクリーンを展開する場合、カバー筒は、スプリングを押さえることにより、空転し、スクリーンをスムーズに展開し、反時計回りで、スクリーンを巻き取るとき、カバー筒は、スプリングの縮みによって、係止され、同時に回転し、スクリーンの巻き取り速度を減少させる。この種の従来のスクリーン巻取り緩衝装置１１は、固定機構に制限があり、スクリーンは、スムーズに展開し、巻取り衝撃緩和の効果があるのは、一定の方向だけであり、ユーザーが任意に緩衝の方向を変更することができない。
【考案の概要】
【考案が解決しようとする課題】
【０００３】
本考案は、スプリング式ロールスクリーンを提案する。前述の従来の引き紐式では、スクリーンを予定の高さに巻き取り、又は引き出し、定位することができない問題と、安全性を考慮して、自動巻き取り装置の回転を利用し、スプリング式ロールスクリーンの巻き取り及び展開を同時に制御し、ユーザーが簡単にロールスクリーンユニットの巻き取り又は展開をできるようにする。
【課題を解決するための手段】
【０００４】
スプリング式ロールスクリーンであって、主としてセットフレームと、ウエイトバーと、ロールスクリーンユニットと、固定端と、自動巻き取り装置と、を具備し、セットフレームの一端は、固定端に連接し、もう一端は、自動巻き取り装置に連接し、前記固定端とロールスクリーンユニットの軸は、嵌合して、回転し、前記自動巻き取り装置は、第二カバーユニット内部に、一端に凸軸のある外カバーを枢接し、前記外カバー内部に、スプリング部材を捲設し、外カバーの一端の凸軸とロールスクリーンユニットの軸筒が嵌合する。
【考案の効果】
【０００５】
自動巻き取り装置と、固定端と、に連結するスプリング式ロールスクリーンであって、自動巻き取り装置が、スプリング式ロールスクリーンの巻き取り及び展開を制御することによって、ユーザーが、簡単にスクリーンを巻き取り、展開することができる。
【図面の簡単な説明】
【０００６】
【図１】従来の巻き取り緩衝装置によって、巻き取り、及び引き出しをするスクリーンの外観立体図である。
【図２】本考案の立体分解図である。
【図３】本考案の自動巻取り装置の立体分解図である。
【図４】本考案の手押し（又は手引き）ロールスクリーンユニットの概略図である。
【図５】本考案の手押しロールスクリーンユニットの概略図である。
【図６】本考案の手引きロールスクリーンユニットの概略図である。
【図７】本考案のもう一つの実施例の立体分解図である。
【図８】図７の自動巻き取り装置の立体分解図である。
【図９】図７の手押し（又は手引き）ロールスクリーンユニットの概略図である。
【図１０】本考案のさらにもう一つの実施例の立体分解図である。
【考案を実施するための形態】
【実施例】
【０００７】
図２に示すように、本考案は、スプリング式ロールスクリーン２０のセットフレーム３０の一端に自動巻き取り装置７０を取り付け、セットフレーム３０のもう一端の固定端６０と連結させ、自動巻き取り装置７０の伝動によって、スプリング式ロールスクリーン２０の巻き取り及び展開を制御する。前記スプリング式ロールスクリーン２０は、主としてセットフレーム３０と、ウエイトバー４０と、ロールスクリーンユニット５０と、固定端６０と、自動巻き取り装置７０と、を含む。
前記セットフレーム３０は、長形のレールであり、内部にガイド溝３１が設けられ、前記ガイド溝３１の両側にそれぞれ、固定溝３２，３３が設けられる。
前記ウエイトバー４０は、セットフレーム３０の下方に離れて備えられる長形のレールである。
前記ロールスクリーンユニット５０は、セットフレーム３０と、ウエイトバー４０の間に設置され、図に示すように、前記ロールスクリーンユニット５０の一端に、軸穴５１１を備える軸５１を有する。
【０００８】
さらに図２に示すように、前記固定端６０は、セットフレーム３０の一端に設けられ、前記固定端６０は、第一カバーユニット６１内に回転ユニット６２を枢接し、前記第一カバーユニット６１の第一カバー６１１の一端に外蓋６１２を固定し、第一カバー６１１の一端側に容置空間６１１１を設け、前記容置空間６１１１の上端には、固定穴６１１２と、周囲に固定穴６１１３と、下端に貫通穴６１１４と、を備え、第一カバー６１１のもう一端側が延びて、セットフレーム３０のガイド溝３１の一端に嵌入する嵌合部６１１５を形成し、前記外蓋６１２は、第一カバー６１１の一端に蓋合され、その周囲には、第一カバー６１１の固定穴６１１３に対応する穴６１２１を有し、その一端が伸びて、貫通穴６１１４に対応する凸軸６１２２を形成し、凸軸６１２２は、溝６１２３を有する。前記回転ユニット６２は、第一カバー６１１の一端の容置空間６１１１内に設けられ、外蓋６１２の凸軸６１２２が穿伸することによって定位され、その一端側に、凸軸６２１を有し、それによって、第一カバー６１１の貫通穴６１１４を貫通し、ロールスクリーンユニット５０の軸５１の一端の軸穴５１１内に穿入して嵌合される。また、固定端６０は、他の応用もでき、図１０に示すように、当該固定端６０bは、サイドプレート６１bを含み、その一端側が伸びて、セットフレーム３０のガイド溝３１の一端側に嵌入することができる嵌合部材６１１bを形成し、さらに、当該端が伸びて、ロールスクリーンユニット５０の軸５１の一端の軸穴（図なし）内に枢接する凸軸６１２bを形成する。
【０００９】
図２、３に示すように、前記自動巻き取り装置７０は、セットフレーム３０のもう一端側に設置され、前記自動巻き取り装置７０には、第二カバーユニット７１内に、内部にスプリング部材７３を捲設した外カバー７２が枢接され、前記第二カバーユニット７１の第二カバー７１１の一端側に、外蓋７１２が固定され、第二カバー７１１は、一端側に容置空間７１１１を有し、前記容置空間７１１１の上端には、固定穴７１１２と、四隅に固定穴７１１３と、下端には貫通穴７１１４と、を備え、第二カバー７１１のもう一端側が延びて、セットフレーム３０のガイド溝３１の一端に嵌入する嵌合部７１１５を形成し、前記外蓋７１２は、第二カバー７１１の一端に蓋合され、その周囲には、第二カバー７１１の固定穴７１１３に対応する穴７１２１を有し、その一端が伸びて、貫通穴７１１４に対応する凸軸７１２２を形成し、凸軸７１２２は、係止溝７１２３を有する。前記外カバー７２は、第二カバー７１１の一端の容置空間７１１１内に設けられ、外蓋７１２の凸軸７１２２が穿伸することによって定位され、その一端側に、凸軸７２１を有し、それによって、第二カバー７１１の貫通穴７１１４を貫通し、ロールスクリーンユニット５０の軸５１の一端の軸穴５１１内に穿入して嵌合され、前記外カバー７２のもう一端側には、容室７２２が設けられ、容室７２２の中心に外蓋７１２の凸軸７１２２を組み付けるためのカバー穴７２３が設けられ、容室７２２の内縁に掛止部７２４が設けられる。前記自動巻取り装置７０は、外カバー７２のもう一端側の容室７２２内にスプリング部材７３を有し、前記スプリング部材７３の外側には、掛止部７２４に掛かって固定されるための、隙間７３２１のある鉤７３２を有し、中心には、凸軸７１２２の係止溝７１２３に係止される穿接体７３１を有し、セットフレーム３０の下方のロールスクリーンユニット５０が、スプリング部材７３の伸張又は緊縮によって、展開又は巻き取りができるようにする。
【００１０】
本考案のスプリング式ロールスクリーン２０を組み付ける場合、セットフレーム３０の一端に固定端６０を、もう一端に自動巻き取り装置７０を連結し、当該スプリング式ロールスクリーン２０は、当該自動巻取り装置７０の回転によって、スプリング式ロールスクリーン２０の巻き取り及び展開を伝動並びに制御することにより、良好な利便性を提供する。
【００１１】
本考案のスプリング式ロールスクリーン２０のロールスクリーンユニット５０の巻き取り、展開操作をする場合の応用を図４、５、６に示す。ユーザーはウエイトバー４０を手押し（又は手引き）することができ、セットフレーム３０のもう一端側の自動巻取り装置７０の外カバー７２のもう一端の容室７２２内のスプリング部材７３の伸張又は緊縮によって、ロールスクリーンユニット５０を上昇させて収納または、下降させて展開状態にし、ロールスクリーンユニット５０が、下降作動している場合、ウエイトバー４０の重さによって、ロールスクリーンユニット５０が、下降した後、巻き戻らないようにし、効果的に本考案のスプリング式ロールスクリーン２０の動作を制御する。
【００１２】
図７、８に示すように、本考案のスプリング式ロールスクリーン２０は、さらに二層スクリーンとしても使用可能であり、セットフレーム２０aと、ウエイトバー３０aと、スライド装置４０ａと、スクリーン引き紐ユニット５０ａと、自動巻き取り装置６０aと、を含み、前記セットフレーム２０aは、中空の長形レールであり、レール内部に二つの対応する、固定溝２０１a及びその側辺に延設されるガイド溝２０２aを有し、両端近くにそれぞれ第一、第二貫通穴２１a、２２aを備え、側面前端に第一、第二貫通穴２３a、２４aを有する。
【００１３】
前記ウエイトバー３０aは、セットフレーム２０a下方に設置される、円形のレールで、円形レールの上端には、切り欠き３１a及び側辺に溝３２aが設けられる。
【００１４】
前記スライド装置４０aは、少なくとも、第一、第二プレート４１ａ、４２ａと、定位部材４３aと、係止棒４４ａと、対応する第一、第二固定板４５ａ、４６ａと、を含む。前記第一、第二プレート４１ａ、４２ａは、それぞれセットフレーム２０ａの第一、第二貫通穴２１a、２２aの上方に設置され、ガイド溝２０２a両端で、反復移動し、第一プレート４１aの一端には、第一セット穴４１１a及び複数の係止穴４１２aを有し、もう一端には第一、第二穴４１３a、４１４aを有し、底部に第一係止溝４１５aを有する。前記第二プレート４２aの一端には、第一プレート４１aの第一セット穴４１１aに対応する、第二セット穴４２１aと、その面に複数の係止穴４２２aと、底部に第一プレート４１aの第一係止溝４１５aに対応する、第二係止溝４２３aを備える。前記定位部材４３aは、セットフレーム２０aのガイド溝２０２aに固定され、第一プレート４１aに近く、一端の下方にガイドローラー４３１aを有する。前記係止棒４４aは、第一、第二プレート４１a、４２a底部の第一、第二係止溝４１５a、４２３aに設置され、両端が、第一、第二係止部材４４１a、４４２aとなり、それぞれ、第一、第二プレート４１a、４２aの第一、第二セット穴４１１a、４２１aに定位される。前記第一、第二固定プレート４５a、４６aの上方には、係止穴４５２a、４６２aのある凸部４５１ａ、４６１ａを備え、凸部４５１ａ、４６１ａは、それぞれ、第一、第二貫通穴２１a、２２aに穿入されて、第一、第二プレート４１ａ、４２ａ底部に固定され、中心に係止棒４４aが通る溝４５３a,４６３aを備え、一端に下に向かって、サイドプレート４５４a、４６４aを形成し、そのサイドプレート４５４a上には、穴４５５aが設けられ、もう一つのサイドプレート４６４a上には穴４６５aが設けられる。
【００１５】
スクリーン引き紐ユニット５０aは、セットフレーム２０ａ及びウエイトバー３０ａの間に設置され、主として、第一スクリーン５１aと、第二スクリーン５２aと、引き紐ユニット５３aを含む。前記第一スクリーン５１aは、縞スクリーンでもよく、図の実施例で示すように、前記第一スクリーン５１aの一端はセットフレーム２０a底部に設置され、前記第一、第二固定板４５a、４６bのサイドプレート４５４a、４６４aに枢接され、前記第一引き紐５３１a及び前記第二引き紐５３２aによって、前記スクリーン引き紐ユニット５０aの第一スクリーン５１aを往復移動させ、第一スクリーン５１aの一端の軸５１１aは、係止板４６ａの穴４６５aから穿出し、第二カバー６３aに穿入し、もう一端側の軸穴５１２aは、第一カバー６２aの伝動軸６１１１aと枢接し、もう一端は、切り欠き３１aによって、ウエイトバー３０aの内部に設置される。第二スクリーン５２aは、第一スクリーン５１aの下方に設置され、軸５２１aを用いて、第二カバー６３aの穴６３１aに枢接され、もう一端の軸穴５２２aは、第一カバー６２a下方の第三ギア６１３aの軸６１４aが穿出して枢接され、さらに、引き紐ユニット５３aの第一引き紐５３１aは、第一プレート４１aの第一穴４１３aに固定され、セットフレーム２０aの第一穴２３aから穿出し、第二引き紐５３２aは、第一プレート４１aの第二穴４１４aに固定され、定位部材４３aのガイドローラー４３１aにかかって、セットフレーム２０aの第二穴２４aから穿出する。
【００１６】
前記自動巻き取り装置６０aは、少なくとも、セットフレーム２０a両側にそれぞれ設置される第一、第二カバー６２a、６３aと、第一カバー６２a内部に設けられ、咬合する第一、第二、第三ギア６１１ａ、６１２ａ、６１３ａと、少なくとも一つのスプリング部材６１５ａを持つ伝導ユニット６１aと、第一ギア６１１aと連接する伝動軸６１１１aと、を含む。前記第一カバー６２aは、容室６２１aのカバー部材６２２aと、蓋部材６２３aを含み、カバー部材６２２aの一端側の上方には、セットフレーム２０aの一端と嵌合する第一係止部材６２４aがあり、容室６２１aには、複数の穴６２５aがあり、蓋部材６２３aは、カバー部材６２２aの容室６２１aの外側を固定し、上から下に、それぞれ、伝動ユニット６１aの第一、第二、第三ギア６１１ａ、６１２ａ、６１３ａと枢接する、軸部材６２４a、凸軸６２５a、穿軸６２６aが伸びる。前記第二カバー６３aの一端には、第一係止部材６２４aと対応する、第二係止部材６３２aを有し、セットフレーム２０aのレールのもう一端側に嵌合する。
【００１７】
手で、第一、第二スクリーン５１a、５２aを動かす場合、第一カバー６２a下方に枢接された伝動ユニット６１aの伝動軸６１１１aの一端の第一ギア６１１aが、伝動状態になり、第一ギア６１１aは、咬合している第二ギア６１２aと、スプリング部材６１５aを有する第三ギア６１３aを回転させ、第一ギア６１１aと連接している伝動軸６１１１a及び第三ギア６１３aの一端側が伸びて形成される軸６１４aが、それぞれ連接している第一、第二スクリーン５１a、５２aが上昇し収容状態、又は下降して展開状態となり（図９）、互いに咬合する第一、第二、第三ギア６１１ａ、６１２ａ、６１３ａは、第一、第二スクリーン５１a、５２aを同時に上昇させ、収容状態に、又は、下降させ、展開状態にすることができる。応用として、前記複数の咬合しているギアは、ベルトドライブまたはチェーンドライブに変更しても、同様の効果を得ることができる。このようにして、ユーザーは、上記の伝動ユニット６１a又は自動巻き取り装置６０aによって、本考案の二層スクリーン、第一、第二スクリーン５１a、５２aの動作を効果的に制御することができ、良好な二層スクリーンの巻き取り、展開を行うことができる。
【産業上の利用可能性】
【００１８】
本考案は、スプリング式ロールスクリーンに関する。
【符号の説明】
【００１９】
２０  スプリング式ロールスクリーン
３０  セットフレーム
３１  ガイド溝
３２，３３  固定溝
４０  ウエイトバー
５０  ロールスクリーンユニット
５１  軸
５１１  軸穴
６０  固定端
６２  回転ユニット
６１  第一カバーユニット
６１１  第一カバー
６１１１  容置空間
６１１２  固定穴
６１１３  固定穴
６１１４  貫通穴
６１１５  嵌合部
６１２  外蓋
６１２１  穴
６１２２  凸軸
６１２３  溝
６２１  凸軸
７０  自動巻き取り装置
７１  第二カバーユニット
７１１  第二カバー
７１２  外蓋
７１１１  容置空間
７１１２  固定穴
７１１３  固定穴
７１１４  貫通穴
７１１５  嵌合部
７１２１  穴
７１２２  凸軸
７１２３  係止溝
７２  外カバー
７２１  凸軸
７２２  容室
７２３  カバー穴
７２４  掛止部
７３  スプリング部材
７３１  穿接体
７３２  鉤
７３２１  隙間
【図１】
0003149752.tif 000003
【図２】
0003149752.tif 000004
【図３】
0003149752.tif 000005
【図４】
0003149752.tif 000006
【図５】
0003149752.tif 000007
【図６】
0003149752.tif 000008
【図７】
0003149752.tif 000009
【図８】
0003149752.tif 000010
【図９】
0003149752.tif 000011
【図１０】
0003149752.tif 000012